(57)【要約】【課題】よりクリアな画像を視認可能な表示システム等を提供する。【解決手段】表示システム１０は、画像を投射する表示装置１００と、表示装置１００に所定角度Ａをつけて対向するミラー装置１０２と、表示画像信号ＤＤＳを表示装置１００に出力し、表示画像信号ＤＤＳに対応するミラー画像信号ＭＤＳをミラー装置１０２に出力する処理回路１０４とを備える。【選択図】図１
2020065235.tif 000002
【特許請求の範囲】
【請求項１】
画像を表示する表示装置と、
前記表示装置に所定角度をつけて対向するミラー装置と、
画像データを前記表示装置に出力し、前記画像データに対応する不透明度データを前記ミラー装置に出力する処理回路と、を備える
表示システム。
【請求項２】
前記ミラー装置は、
マトリクス状に設けられた複数のミラー素子と、
前記表示装置と対向する面の反対側に設けられた反射偏光板とを備え、
前記反射偏光板は、進入する光の位相によって反射率及び透過率が異なり、
前記不透明度データが示す不透明度が高いほど前記反射偏光板の反射率がより高い位相の光を透過させるように前記ミラー素子が制御される
請求項１に記載の表示システム。
【請求項３】
前記不透明度データは、前記画像データによって描画される画像の背景の不透明度が背景以外の画像領域の不透明度よりも低い
請求項２に記載の表示システム。
【請求項４】
前記ミラー装置は、前記背景以外の画像領域に対応する領域の前記ミラー素子が前記表示装置からの光を一定以上反射する反射領域になるよう制御される
請求項３に記載の表示システム。
【請求項５】
前記ミラー装置に映る画像の視野角に応じて、視野角が広がる方向に反射領域のマージンが設定される
請求項４に記載の表示システム。
【請求項６】
前記画像データに基づいて前記表示装置が出力する画像は、前記ミラー装置を視認するユーザに視認させたい画像の鏡像である
請求項１から５のいずれか一項に記載の表示システム。
【請求項７】
前記所定角度は、前記表示装置の画像投射面と、前記ミラー装置に映る画像を視認することが想定されるユーザの眼の位置とに基づいて決定される
請求項１から６のいずれか一項に記載の表示システム。
【請求項８】
画像を表示する表示装置に所定角度をつけて対向するミラー装置であって、
マトリクス状に設けられた複数のミラー素子と、
前記表示装置と対向する面の反対側に設けられた反射偏光板とを備え、
前記反射偏光板は、進入する光の位相によって反射率及び透過率が変わり、
前記画像に対応する不透明度データが示す不透明度が高いほど前記反射偏光板の反射率がより高い位相の光を透過させるように画素が制御される
ミラー装置。
【発明の詳細な説明】
【技術分野】
【０００１】
本発明は、表示システム及びミラー装置に関する。
【背景技術】
【０００２】
ハーフミラーに画像を投射して、ハーフミラーの背面側に広がる光景を背景とした画像を視認可能にするホログラムディスプレイ装置が知られている（例えば特許文献１）。
【先行技術文献】
【特許文献】
【０００３】
【特許文献１】特開２００５−１０２２６号公報
【発明の概要】
【発明が解決しようとする課題】
【０００４】
ハーフミラーは、光の透過と光の反射を半々で行う。このため、ハーフミラーに投射された画像の光及び背景からハーフミラーを透過する光の半分以下しかユーザの眼に到達せず、薄暗い画像になってしまう。このため、よりクリアな画像を視認可能な仕組みが求められていた。
【０００５】
本発明は、上記の課題に鑑みてなされたもので、よりクリアな画像を視認可能な表示システム及びミラー装置を提供することを目的とする。
【課題を解決するための手段】
【０００６】
本発明の一態様による表示システムは、画像を投射する表示装置と、前記表示装置に所定角度をつけて対向するミラー装置と、画像データを前記表示装置に出力し、前記画像データに対応する不透明度データを前記ミラー装置に出力する処理回路とを備える。
【０００７】
本発明の一態様によるミラー装置は、画像を投射する表示装置に所定角度をつけて対向するミラー装置であって、マトリクス状に設けられた複数の画素と、前記表示装置と対向する面の反対側に設けられた反射偏光板とを備え、前記反射偏光板は、進入する光の位相によって反射率及び透過率が変わり、前記画像に対応する不透明度データが示す不透明度が高いほど前記反射偏光板の反射率がより高い位相の光を透過させるように前記画素が制御される。
【図面の簡単な説明】
【０００８】
【図１】図１は、実施形態の表示システムの主要構成を示す模式図である。
【図２】図２は、処理回路の構成及び処理回路の入出力を示すブロック図である。
【図３】図３は、ミラー装置の積層構造例を示す模式図である。
【図４】図４は、図３に示すミラー装置の回路構成例を示す模式図である。
【図５】図５は、反射偏光板と、反射偏光板を最大限透過する位相の光と、反射偏光板によって最大限反射される位相の光とを示す模式図である。
【図６】図６は、ミラー装置が光の透過率及び光の反射率を画素単位で切り替える仕組みを示す模式図である。
【図７】図７は、図３とは異なるミラー装置の積層構造例を示す模式図である。
【図８】図８は、図７に示すミラー装置の回路構成例を示す模式図である。
【図９Ａ】図９Ａは、第１タイミングにおける表示画像を表示する表示装置を示す図である。
【図９Ｂ】図９Ｂは、第２タイミングにおける表示画像を表示する表示装置を示す図である。
【図１０Ａ】図１０Ａは、第１タイミングにおいて図９Ａに示す表示装置の表示画像を反射するためのミラー装置の動作を示す図である。
【図１０Ｂ】図１０Ｂは、第２タイミングにおいて図９Ｂに示す表示装置の表示画像を反射するためのミラー装置の動作を示す図である。
【図１１Ａ】図１１Ａは、グラフィックの反射を最大限にするようにミラー装置を制御する場合の表示装置、ミラー装置、オブジェクト及び眼の関係を示す模式図である。
【図１１Ｂ】図１１Ｂは、図１１Ａの場合に視認される内容を示す模式図である。
【図１２Ａ】図１２Ａは、グラフィックの反射を最小限にするようにミラー装置を制御する場合の表示装置、ミラー装置、オブジェクト及び眼の関係を示す模式図である。
【図１２Ｂ】図１２Ｂは、図１２Ａの場合に視認される内容を示す模式図である。
【図１３Ａ】図１３Ａは、グラフィックを反射する画素の反射率及び透過率をそれぞれ５０［％］にするようにミラー装置を制御する場合の表示装置、ミラー装置、オブジェクト及び眼の関係を示す模式図である。
【図１３Ｂ】図１３Ｂは、図１３Ａの場合に視認される内容を示す模式図である。
【図１４】図１４は、マージン領域が設定されたミラー装置を示す模式図である。
【図１５】図１５は、マージン領域の幅を決定する仕組みを示す説明図である。
【発明を実施するための形態】
【０００９】
以下に、本発明の各実施の形態について、図面を参照しつつ説明する。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略すること処理回路１０４がある。
【００１０】
図１は、実施形態の表示システムの主要構成を示す模式図である。表示システム１０は、処理回路１０４と、表示装置１００と、ミラー装置１０２とを備える。
【００１１】
図２は、処理回路の構成及び処理回路の入出力を示すブロック図である。処理回路１０４は、画像出力回路１１０から基礎画像信号ＢＤＳが入力される。基礎画像信号ＢＤＳは、基礎画像ＢＤＩに対応する信号であって、画像ＢＤＩを構成する複数の基礎画素ＢＰＩＸごとの諧調値を示す諧調信号ＢＤＳ−Ｇ（画像データ）又は反射率（不透明度）を示す反射率信号ＢＤＳ−Ｒ（不透明度データ）が含まれる。処理回路１０４は、入力された基礎画像信号ＢＤＳの諧調値を示す諧調信号ＢＤＳ−Ｇに基づく表示画像信号ＤＤＳを表示装置１００に出力する。また、処理回路１０４は、基礎画像信号ＢＤＳの反射率を示す反射率信号ＢＤＳ−Ｒに基づきミラー画像信号ＭＤＳをミラー装置１０２に出力する。
【００１２】
基礎画像信号ＢＤＳに含まれる反射率信号ＢＤＳ−Ｒは、ミラー装置１０２を構成する各ミラー素子の反射率を指定するための信号であって、例えば、各ミラー素子の不透明度を指定するデータ、いわゆるアルファチャンネルデータである。また、表示画像信号ＤＤＳの示す表示画像ＤＤＩとミラー画像信号ＭＤＳが示すミラー画像ＭＤＩは、鏡像の関係である。画像出力回路１１０から出力される基礎画像信号ＢＤＳは、反射率を示す反射率信号ＢＤＳ−Ｒをふくまなくてもよい。基礎画像信号ＢＤＳの反射率信号ＢＤＳ−Ｒは、画像出力回路１１０から出力される基礎画像信号ＢＤＳに反射率信号ＢＤＳ−Ｒが含まれていない場合に画像処理回路１１２によって作成されてもよい。図１では、反射率信号ＢＤＳ−Ｒを含まない基礎画像信号ＢＤＳに符号ＢＤＳａを付し、作成された反射率信号ＢＤＳ−Ｒを含む基礎画像信号ＢＤＳに符号ＢＤＳｂを付している。
【００１３】
画像処理回路１１２は、反射率信号ＢＤＳ−Ｒを含まない基礎画像信号ＢＤＳの反射率信号ＢＤＳ−Ｒを作成する。画像処理回路１１２は、例えば、基礎画像信号ＢＤＳに含まれる諧調信号ＢＤＳ−Ｇに基づき、反射率信号ＢＤＳ−Ｒを作成する。例えば、基礎画像信号ＢＤＳａに基づく基礎画像ＢＤＳを構成する複数の基礎画素ＢＰＩＸの各々のＲＧＢデータが含む各色の階調値（ｒ，ｇ，ｂ）のうち、最小値（ｍｉｎ）に基づいて反射率信号ＢＤＳ−Ｒを生成する。この例の場合、反射率信号ＢＤＳ−Ｒは、各色の階調値が取り得る最高値（ＭＡＸ）で１つの基礎画素ＢＰＩＸの当該最小値（ｍｉｎ）を除した値を当該１つの基礎画素ＢＰＩＸの反射率信号ＢＤＳ−Ｒとする。当該最高値（ＭＡＸ）は、階調値のビット数における最高値である。例えば階調値が８ビットであれば、当該最高値（ＭＡＸ）は２５５であり、最小値（ｍｉｎ）は０〜２５５の範囲内の値である。一例を記載すると、階調値が８ビットであるものとして、（ｒ，ｇ，ｂ）＝（８５，１２５，２５５）の場合、１つの基礎画素ＢＰＩＸの最小値（ｍｉｎ）は、８５である。最高値（ＭＡＸ）は、２５５であるので、反射率信号ＢＤＳ−Ｒは、各色の階調値が取り得る最高値（ＭＡＸ）で１つの基礎画素ＢＰＩＸの当該最小値（ｍｉｎ）を除した値であるから、８５／２５５である。ここで説明した反射率信号ＢＤＳ−Ｒの作成方法はあくまで一例であってこれに限られるものでなく、適宜変更可能である。画像処理回路１１２は、画像に含まれる被写体の画像領域を判別し、当該画像における被写体以外の画像領域を背景とみなして当該背景に対応する反射率信号ＢＤＳ−Ｒを設定する構成であってもよい。画像処理回路１１２は、処理回路１０４に含まれる構成であってもよいし、画像出力回路１１０に含まれる構成であってもよいし、画像出力回路１１０及び処理回路１０４から独立した構成であってもよい。
【００１４】
処理回路１０４は、演算回路１０４１、メモリ１０４２及び制御回路１０８を含むＭＰＵ（Micro  Processor  Unit）である。演算回路１０４１は、ＣＰＵ（Central  Processing  Unit）を含み、処理回路１０４の動作に関する各種の処理を行う。メモリ１０４２は、フラッシュメモリ等の記憶装置を含み、演算回路１０４１の処理に用いられるデータ等を記憶する。制御回路１０８は、演算回路１０４１の制御下で、画像出力回路１１０（又は画像出力回路１１２）から入力された反射率信号ＢＤＳ−Ｒを含む基礎画像信号ＢＤＳ（又は基礎画像信号ＢＤＳｂ）に基づいて、表示装置１００とミラー装置１０２に個別にデータを出力する。具体的には、制御回路１０８は、基礎画像信号ＢＤＳに含まれる諧調信号ＢＤＳ−Ｇに基づき、表示画像信号ＤＤＳとして表示装置１００に出力する。基礎画像信号ＢＤＳの諧調信号ＢＤＳ−Ｇに基づく基礎画像ＢＤＩと、表示画像信号ＤＤＳの示す表示画像ＤＤＩは、鏡面画像である。基礎画像ＢＤＩと表示画像ＤＤＩが鏡面画像となるように、基礎画像信号ＢＤＳの諧調信号ＢＤＳ−Ｇから表示画像信号ＤＤＳを生成する処理は、演算回路１０４１が行ってもよいし、画像処理回路１１２が行ってもよい。制御回路１０８は、基礎画像信号ＢＤＳに含まれる反射率信号ＢＤＳ−Ｒに基づき、ミラー画像信号ＭＤＳをミラー装置１０２に出力する。
【００１５】
表示装置１００は、画像を表示する。実施形態の表示装置１００は、透過型のカラー液晶表示装置であるが、これに限られるものでない。その他の表示装置の適用例として、半透過型又は反射型の液晶表示装置、有機又は無機のエレクトロルミネセンス（ＥＬ：Electroluminescence）を利用した表示装置、その他の自発光型表示装置等、あらゆるフラットパネル型の画像表示装置が挙げられる。また、表示装置１００は、プロジェクタ等、光を投射して画像を表示することに特化した構成であってもよい。また、表示装置１００は、中小型から大型まで、特に限定することなく適用が可能であることは言うまでもない。
【００１６】
表示装置１００の画像出射面１００ｓは、ミラー装置１０２側に向いている。ミラー装置１０２は、所定角度Ａをつけて表示装置１００と対向する。ミラー装置１０２の一部もしくは全体が鏡として機能して表示装置１００からの画像光ＤＬを反射した場合、ユーザの眼Ｅに当該画像光ＤＬが到達して表示装置１００に表示された表示画像ＤＤＩの鏡面画像が視認される。
【００１７】
図３は、ミラー装置の積層構造例を示す模式図である。図４は、図３に示すミラー装置の回路構成例を示す模式図である。ミラー装置１０２は、光を透過させるか反射させるかを変更可能に設けられたミラーパネルである。図３では、表示装置１００から出射された画像光ＤＬａがミラー装置１０２に入射して、ミラー装置１０２の反射偏光板５００によって画像光ＤＬｂが反射する。また、図３では、外光ＯＬがミラー装置１０２を透過する。外光ＯＬがミラー装置１０２を透過し眼Ｅに到達することで、ミラー装置１０２を挟んで眼Ｅの反対側に位置するオブジェクトＯＢ（図１参照）が視認される。ミラー装置１０２は、例えば、第１基板４０２と、第２基板４０６とを備える。第１基板４０２と第２基板４０６とは対向する。第１基板４０２及び第２基板４０６は、例えばガラス基板等、透光性を有する基板である。第２基板４０６の一面側には、第１電極４０８マトリクス状に配置されている。第１電極４０８は、ミラー装置１０２が備える複数のミラー素子ＭＰＩＸの各々に設けられる。
【００１８】
また、第２基板４０６には、図４に示すデータ線ＳＬ２、ゲート線ＧＬ２、スイッチ素子Ｔｒが設けられている。スイッチ素子Ｔｒは、薄膜トランジスタ（ＴＦＴ：Thin  Film  Transistor）を用いたスイッチング素子である。ＴＦＴのソース又はドレインの一方は、データ線ＳＬ２と接続されている。ＴＦＴのゲートは、ゲート線ＧＬ２と接続されている。ＴＦＴのソース又はドレインの他方は、第１電極４０８と接続されている。ミラー素子ＭＰＩＸは、２つのデータ線ＳＬ２と２つのゲート線ＧＬ２に囲われた領域に対応し、ミラー素子ＭＰＩＸごとにスイッチング素子Ｔｒが配置される。
【００１９】
データ線ＳＬ２は、データドライバ８０２と接続されている（図１０参照）。ゲート線ＧＬ２は、ゲートドライバ８０４と接続されている（図１０参照）。ゲートドライバ８０４は、各ゲート線ＧＬ２に順次駆動信号を供給する。駆動信号が供給されたゲート線ＧＬ２と接続されているスイッチ素子Ｔｒのソース−ドレイン間の接続がＯＮになることで、駆動信号が供給されたゲート線ＧＬ２の行に配置されている第１電極４０８とデータ線ＳＬ２とが接続される。データドライバ８０２は、当該行の第１電極４０８の各々に対するミラー素子信号ＭＥＳをデータ線ＳＬ２に供給する。当該ミラー素子信号ＭＥＳの電位は、ミラー画像信号ＭＤＳに基づいて決定される。
【００２０】
第１基板４０２には、第１電極４０８と対向する側の面に第２電極４０４が設けられている。第１電極４０８と第２電極４０４との間には、液晶層４１０が封入されている。第２電極４０４には、基準電位が与えられる。第１電極４０８の各々に対してミラー素子信号ＭＥＳによって与えられた電位と第２電極４０４の基準電位との電位差に応じて、ミラー素子ＭＰＩＸの反射率が決定する。より具体的には、第１電極４０８の各々の位置の液晶分子４１２の配向が、基準電位とミラー素子信号ＭＥＳの電位差によって変化する。
【００２１】
図５は、反射偏光板と、反射偏光板を最大限透過する位相の光と、反射偏光板によって最大限反射される位相の光とを示す模式図である。第２基板４０６の他面側には、図３に示すように、反射偏光板５００が配置されている。反射偏光板５００は、光の位相によって透過率及び反射率が変ずるよう設けられた板状又は膜状の部材である。
【００２２】
図５では、反射偏光板５００を最大限透過する位相の光Ｌ１（第２直線偏光成分の光）と、反射偏光板５００によって最大限反射される位相の光Ｌ２（第１直線偏光成分の光）とを例示している。光Ｌ１と光Ｌ２とは、反射偏光板５００に対する光の位相が９０度［°］又は２７０度［°］異なる直線偏光である。
【００２３】
図６は、ミラー装置が光の透過率及び光の反射率をミラー素子単位で切り替える仕組みを示す模式図である。上述の通り、第１電極４０８の各々に対してミラー素子信号ＭＥＳによって与えられた電位と第２電極４０４の基準電位との電位差に応じて、第１電極４０８の各々の位置の液晶分子４１２の配向が決定する。
【００２４】
ミラー装置１０２は、表示装置１００に対向する面に第１偏光板３００を有し、第１偏光板３００は、第１直線偏光成分の光Ｌ２を最大限透過し、それ以外の位相の光を吸収する直線偏光板である。表示装置１００は、ミラー装置１０２と対向する面に偏光板１００ｃを有する。偏光板１００ｃは、第１直線偏光成分の光Ｌ２を透過し、それ以外の位相の光を吸収する偏光板である。表示装置１００から出射される画像光ＤＬは、偏光板１００ｃ又は第１偏光板３００を介して、第１直線偏光成分の光Ｌ２が最大限透過する。なお、表示装置１００は、表示装置１００から出射される画像光ＤＬに第１直線偏光成分の光が含まれていれば、偏光板１００ｃを有さなくてもよい。
【００２５】
また、ミラー装置１０２は、外光ＯＬの入射面に第２偏光板６００を有し、第２偏光板６００は、第２直線偏光成分の光Ｌ１を最大限透過し、それ以外の位相の光を吸収する直線偏光板である。外光ＯＬは、第２偏光板６００を介して、第２直線偏光成分の光Ｌ１が透過する。
【００２６】
例えば、図６の第１ミラー素子ＭＰＩＸ１に含まれる液晶素子ＬＱ１は、第１電極４０８及び第２電極４０４を介して与えられた電位差によって、光Ｌ１を最大限透過させ、光Ｌ２を最大限遮蔽する液晶分子の配向に対応する液晶素子ＬＱである（第１状態Ｘ１０）。このため、第１ミラー素子ＭＰＩＸの液晶素子ＬＱ１では、第２基板４０６側から入射して第１基板４０２側に向かう外光ＯＬに含まれる光Ｌ１が、反射偏光板５００及び液晶素子ＬＱ１の液晶を最大限透過することができる。また、第１ミラー素子ＭＰＩＸの液晶素子ＬＱ１では、第１基板４０２側から入射して第２基板４０６側に向かう画像光ＤＬに含まれる光Ｌ１も最大限透過する。また、画像光ＤＬに含まれる光Ｌ２は第１偏光板３００によって最大限遮蔽される。このため、第１基板４０２側から入射した画像光ＤＬが反射されて第１基板４０２側に戻る割合は最小限になる。なお、外光ＯＬに含まれる光Ｌ２は、反射偏光板５００によって最大限反射され、第１基板４０２側に透過する度合いが最小限になる。より具体的には、外光ＯＬは、第２偏光板６００を介して、第２直線偏光成分の光Ｌ１が透過し、反射偏光板５００を透過する。第２偏光板６００及び反射偏光板５００を透過した第２直線偏光成分の光Ｌ１は、液晶素子ＬＱ１を介して、第１直線偏光成分の光Ｌ２に変換される。第１直線偏光成分の光Ｌ２に変換された外光ＯＬは、第１偏光板３００を透過して、ユーザに視認される。また、画像光ＤＬは、第１偏光板３００を介して、第１偏光成分の光Ｌ２が透過し、第１偏光板３００を透過した第１直線偏光成分の光Ｌ２は、液晶素子ＬＱ１を介して、第２直線偏光成分の光Ｌ１に変換される。第２直線偏光成分の光Ｌ１に変換された画像光ＤＬは、反射偏光板５００及び第２偏光板６００を透過する。
【００２７】
図６の第２ミラー素子ＭＰＩＸ２に含まれる液晶素子ＬＱ２は、第１電極４０８及び第２電極４０４を介して与えられた電位差によって、光Ｌ２を最大限透過させ、光Ｌ１を最大限遮蔽する液晶分子の配向に対応する液晶容量ＬＱである（第２状態Ｘ１２）。このため、第２ミラー素子ＭＰＩＸ２の液晶素子ＬＱ２では、外光ＯＬに含まれる光Ｌ１は、反射偏光板５００を透過するが、第１偏光板３００に遮蔽されて第１基板４０２側に透過する割合が最小限になる。また、上述の通り、外光ＯＬに含まれる光Ｌ２は、反射偏光板５００によって最大限反射され、第１基板４０２側に透過する度合いが最小限になる。従って、第２ミラー素子ＭＰＩＸ２の液晶素子ＬＱ２では、外光ＯＬの透過率が最小限になる。一方、第２ミラー素子ＭＰＩＸ２の液晶素子ＬＱ２では、画像光ＤＬに含まれる光Ｌ２が液晶を最大限透過するため、反射偏光板５００によって最大限反射され、第１基板４０２側に戻る割合が最大限になる。なお、画像光ＤＬに含まれる光Ｌ１は、第１偏光板３００によって最大限遮蔽されることに加えて、液晶を透過したとしても反射偏光板５００を最大限透過する。より具体的には、外光ＯＬは、第２偏光板６００を介して、第２直線偏光成分の光Ｌ１が透過し、反射偏光板５００を透過する。第２偏光板６００及び反射偏光板５００を透過した第２直線偏光成分の光Ｌ１は、液晶素子ＬＱ２を介して、第２直線偏光成分の光Ｌ１のまま透過する。第２直線偏光成分の光Ｌ１のまま透過した外光ＯＬは、第１偏光板３００で吸収され、ユーザに視認されることが抑制される。また、画像光ＤＬは、第１偏光板３００を介して、第１偏光成分の光Ｌ２が透過し、第１偏光板３００を透過した第１直線偏光成分の光Ｌ２は、液晶素子ＬＱ２を介して、第１直線偏光成分の光Ｌ２のまま透過される。第１直線偏光成分の光Ｌ２に変換された画像光ＤＬは、反射偏光板５００によって反射される。反射偏光板５００によって反射された画像光ＤＬは、第１直線偏光成分の光Ｌ２のまま液晶素子ＬＱ２を透過する。液晶素子ＬＱ２を透過した第１直線偏光成分の光Ｌ２を有する画像光ＤＬは、第１偏光板３００を透過してユーザに視認される。
【００２８】
なお、第１状態Ｘ１０のミラー素子ＭＰＩＸに含まれる液晶素子ＬＱ１が透過する偏光軸を変換する場合について例示したがこれに限られない。第１偏光板３００及び表示装置１００の偏光板１００ｃが第２直線偏光成分の光Ｌ１を最大限透過し、それ以外の位相の光を吸収する直線偏光板として、第１状態Ｘ１０の液晶素子ＬＱ１が透過する光の偏光軸を変換せず、第２状態Ｘ１２の液晶素子ＬＱ２が透過する光の偏光軸を変換するようにしてもよい。
【００２９】
なお、図６では、説明を分かりやすくする目的で光Ｌ１又は光Ｌ２の一方を最大限透過させ、他方を最大限遮蔽する液晶素子ＬＱ１及び液晶素子ＬＱ２を例示しているが、液晶素子ＬＱは、液晶素子ＬＱ１及び液晶素子ＬＱ２に限られるものでない。液晶素子ＬＱは、液晶分子による光Ｌ１及び光Ｌ２の透過率及び遮蔽率を最大限と最小限との間で任意に変更可能に設けられる。従って、ミラー装置１０２による外光ＯＬの透過率及び画像光ＤＬの反射率は、ミラー素子ＭＰＩＸ単位で任意に変更可能である。ただし、液晶分子による光Ｌ１又は光Ｌ２の一方の透過率が最大限により近い（遮蔽率が最小限により近い）場合、他方の透過率が最小限により近い（遮蔽率が最大限により近い）ものになる。
【００３０】
図７は、図３とは異なるミラー装置の積層構造例を示す模式図である。図８は、図７に示すミラー装置の回路構成例を示す模式図である。図１のミラー装置１０２は、ミラー装置４０に置換可能である。ミラー装置４０は、ミラー装置１０２と同様、光を透過させるか反射させるかを変更可能に設けられた液晶パネルである。
【００３１】
ミラー装置４０は、第１基板４１と、第２基板４５とを備える。第１基板４１及び第２基板４５は、例えばガラス基板等、透光性を有する基板である。第１基板４１と第２基板４５とは対向する。第１基板４１の一面側には、第１電極４２が配置されている。第２基板４５には、第１電極４２と対向する側の面に第２電極４６が設けられている。第１電極４２は、長手方向がＸ方向に沿う電極である。第１基板４１には、Ｘ方向に交差するＹ方向に沿って、複数の第１電極４２が並んでいる。第２電極４６は、長手方向がＹ方向に沿う電極である。第２基板４５には、Ｘ方向に沿って、複数の第２電極４６が並んでいる。第１電極４２と第２電極４６とは平面視で交差するねじれの位置関係にある。
【００３２】
第１電極４２と第２電極４６との間には、液晶が封入されている。図８に示すように、平面視で第１電極４２と第２電極４６とが交差する位置に液晶素子ＬＱが形成される。第１電極４２又は第２電極４６の一方には、基準電位が与えられる。第１電極４２又は第２電極４６の他方に対してミラー素子信号ＭＥＳによって与えられた電位と第２電極４６の基準電位との電位差に応じて、液晶素子ＬＱに応じた液晶分子の配向が決定する。なお、ミラー装置４０では、制御対象となる液晶素子ＬＱが間に位置する第１電極４２と第２電極４６との組み合わせが個別に駆動される。
【００３３】
図９Ａは、第１タイミングにおける表示画像を表示する表示装置を示す図である。図９Ｂは、第２タイミングにおける表示画像を表示する表示装置を示す図である。図１０Ａは、第１タイミングにおいて図９Ａに示す表示装置の表示画像を反射するためのミラー装置の動作を示す図である。図１０Ｂは、第１タイミングにおいて図９Ｂに示す表示装置の表示画像を反射するためのミラー装２の動作を示す図である。図１に示す表示装置１００と、ミラー装置１０２と、眼Ｅとの位置関係では、表示装置１００のうち眼Ｅ側（手前側）がミラー装置１０２で相対的に上側に写り、オブジェクトＯＢ側（奥側）がミラー装置１０２で相対的に下側に写る。
【００３４】
図９Ａ及び図９Ｂに示す通り、表示装置１００は、マトリクス状に配置された画素ＰＩＸからなる。画素ＰＩＸは行方向（第１方向）にｎ個配列され、行方向と交差する列方向（第２方向）にｍ個配列される。図９Ａ及び図９Ｂにおいて、ｎ＝２１、ｍ＝１８として記載するが、ｎ、ｍは１以上の自然数であれば良い。表示装置１００は、複数のゲート線ＧＬ１及び複数のデータ線ＳＬ１を有し、ゲート線ＧＬ１はスイッチ素子等を介して行方向の複数の画素ＰＩＸと接続されており、データ線ＳＬ１はスイッチ素子等を介して列方向の複数の画素ＰＩＸと接続される。表示装置１００は、ゲート線ＧＬ１と接続されるゲートドライバ２０６を有し、ゲートドライバ２０６は、ゲート線ＧＬ１を順次選択して走査信号を供給することで、行方向に配列された複数の画素ＰＩＸを選択する。また、表示装置１００は、データ線ＳＬ１と接続されたデータドライバ２０４を有し、データドライバ２０４は、ゲートドライバ２０６によって選択された画素ＰＩＸに対して、データ線ＳＬ１を介して表示画素信号ＤＰＳを出力する。
【００３５】
図９Ａ及び図９Ｂに示す表示装置１００の表示画像ＤＤＩは、ミラー装置１０２に反射させて眼Ｅに視認させることが想定されたグラフィックＧＲと、ミラー装置１０２に反射させず眼Ｅに視認されることが抑制されることが想定された背景ＢＧとを含む。
【００３６】
表示画像信号ＭＤＳは、グラフィックＧＲ及び背景ＢＧの其々に対応する画素ＰＩＸごとに表示画素信号ＤＰＳを含む。なお、眼Ｅに視認されることが抑制される部位（背景ＢＧ）に対応する画素ＰＩＸに対応する表示画素信号ＤＰＳが示す諧調値は、所定の固定値でもよい。例えば、最小諧調値「０」又は最大諧調値「２５５」のいずれかとしてもよい。また、ゲートドライバ２０６は、１行目（上端）からｍ行目（下端）に向かってゲート線ＧＬ１を順次駆動し、データドライバ２０４は、ｎ列目（右端）から１行目（左端）に向かって駆動する。本実施例において、処理回路１０４に入力される基礎画像信号ＢＤＳに対応する基礎画像ＢＤＩは、眼Ｅによって視認されることが想定される視認画像に対応する。基礎画像ＢＤＩは、表示画像ＤＤＩと同様に、行方向にｎ行、列方向にｍ列の基礎画素ＢＰＩＸがマトリクス状に配置された画像に対応する。基礎画像信号ＢＤＳは、左上端の基礎画素ＢＰＩＸ（１，１）から右上端の基礎画素ＢＰＩＸ（１，ｎ）までの基礎画素ＢＰＩＸに対応する基礎画素信号ＢＰＳが連続し、更に、２行目からｍ行目までも同様に、左端から右端までの基礎画素ＰＩＸに対応する基礎画素信号ＢＰＳが連続する信号からなる。表示画像ＤＤＩは、基礎画像ＢＤＩの左右の反転画像であるため、画素ＰＩＸ（ｐ，ｑ）は、基礎画素ＢＰＩＸ（ｐ，ｎ−ｑ＋１）に対応する。なお、ｐ、ｑは１以上の自然数である。表示装置１００のデータドライバ２０４は、右端から左端に向かって表示画素信号ＤＰＳを各画素ＰＩＸに供給すると、基礎画像信号ＢＤＳの諧調信号ＢＤＳ−Ｇに基づき表示画像信号ＤＤＳを生成する際に鏡面画像となるように変換しなくても、基礎画素ＢＰＩＸ（ｐ，ｎ−ｑ＋１）に対応する基礎画素信号ＢＰＳ（ｐ，ｎ−ｑ＋１）に基づく表示画素信号ＤＰＳが画素ＰＩＸ（ｐ，ｑ）に供給されることとなり、結果として、表示装置１００に基礎画像ＤＤＩの反転画像が表示されることとなる。
【００３７】
図１０Ａ及び図１０Ｂに示す通り、ミラー装置１０２は、マトリクス状に配置されたミラー素子ＭＰＩＸからなる。ミラー素子ＭＰＩＸは、表示装置１００の画素ＰＩＸと同様に、行方向（第１方向）にｎ個配列され、行方向と交差する列方向（第２方向）にｍ個配列される。図１０Ａ及び図１０Ｂにおいて、ｎ＝２１、ｍ＝１８として記載するが、ｎ、ｍは１以上の自然数であれば良い。ミラー装置１０２は、複数のゲート線ＧＬ２及び複数のデータ線ＳＬ２を有し、ゲート線ＧＬ２はスイッチ素子等を介して行方向の複数のミラー素子ＭＰＩＸと接続されており、データ線ＳＬ２はスイッチ素子等を介して列方向の複数のミラー素子ＭＰＩＸと接続される。ミラー装置１０２は、ゲート線ＧＬ２と接続されるゲートドライバ８０４を有し、ゲートドライバ８０４は、ゲート線ＧＬ２を１行目からｍ行目に向かって順次選択して駆動信号を供給することで、行方向に配列された複数のミラー素子ＭＰＩＸを選択する。また、ミラー装置１０２は、データ線ＳＬ２と接続されたデータドライバ８０２を有し、データドライバ８０２は、ゲートドライバ８０４によって選択されたミラー素子ＭＰＩＸに対して、１列目からｎ列目に向かってデータ線ＳＬ２を介してミラー素子信号ＭＥＳを出力する。
【００３８】
また、表示装置１００で投射された画像を鏡面反射して眼Ｅに導くミラー装置１０２が眼Ｅに視認されるため、ミラー装置１０２を動作するためのミラー画像信号ＭＤＳの示すミラー画像ＭＤＩは、表示装置１００の表示画像ＤＤＩを水平方向に反転した画像に対応する。つまり、ミラー装置１０２のミラー素子ＭＰＩＸ（ｐ，ｑ）は、左右反転した位置に存在する表示装置１００の画素ＰＩＸ（ｐ，ｎ−ｑ＋１）に対応し、図１０Ａ及び図１０Ｂに示すように、ミラー画像信号ＭＤＳに対応するミラー画像ＭＤＩは、グラフィックＧＲ及び背景ＢＧにそれぞれ対応する領域ＲＦ（反射領域）及び領域ＣＬ（透過領域）を含む。
【００３９】
本実施例において、グラフィックＧＲに対応するミラー素子ＭＰＩＸのミラー素子信号ＭＥＳが示す不透明度（反射率）は、背景ＢＧのミラー画像信号ＭＤＳが示す不透明度以上である。例えば、グラフィックＧＲに対応するミラー素子ＭＰＩＸのミラー画素信号ＭＥＳは、１００［％］であり、背景ＢＧに対応するミラー素子ＭＰＩＸのミラー画像信号ＭＤＳは、０％である。すなわち、グラフィックＧＲのミラー画像信号ＭＤＳは、不透明度が１００［％］であり、ミラー装置１０２に設定されることで画像光ＤＬを反射するよう制御される。また、背景ＢＧのミラー画像信号ＭＤＳは、不透明度が０％であり、ミラー装置１０２に設定されることで画像光ＤＬを透過するよう制御される。
【００４０】
表示装置１００で表示されるグラフィックＧＲに対応する領域ＲＦに含まれるミラー装置１０２のミラー素子ＭＰＩＸは、第２状態Ｘ１２となるように制御され（図６参照）る。また、領域ＲＦ表示装置１００で表示される背景ＢＧに対応する領域ＣＬに含まれるミラー装置１０２のミラー素子ＭＰＩＸは、第１状態Ｘ１０となるように制御される。
【００４１】
表示装置１００の投射画像とミラー装置１０２で視認される内容とが鏡像の関係になるため、グラフィックＧＲの描画位置が変位した場合、領域ＲＦの変位方向はグラフィックＧＲの変位方向を水平方向に反転した方向になる。例えば、グラフィックＧＲの描画位置が図９Ａに示す位置から図９Ｂに示す位置に変位した場合、領域ＲＦは、図１０Ａに示す位置から図１０Ｂに示す位置に変位する。また、グラフィックＧＲの描画位置が図９Ｂに示す位置から図９Ａに示す位置に変位した場合、領域ＲＦは、図１０Ｂに示す位置から図１０Ａに示す位置に変位する。言い換えると、グラフィックＧＲが表示画像ＤＤＩ内で左右方向の一方に向かって変化した場合、グラフィックＧＲに対応する領域ＲＦは、ミラー画像内で左右方向の他方に向かって変化する。なお、グラフィックＧＲが表示画像ＤＤＩ内で上方向に向かって変化した場合、グラフィックＧＲに対応する領域ＲＦは、ミラー画像内で上方向に向かって変化する。また、グラフィックＧＲが表示画像ＤＤＩ内で下方向に向かって変化した場合、グラフィックＧＲに対応する領域ＲＦは、ミラー画像内で下方向に向かって変化する。
【００４２】
なお、ミラー装置１０２の各ミラー素子ＭＰＩＸの駆動タイミングは、各ミラー素子ＭＰＩＸが対応する表示装置１００の画素ＰＩＸの各々の駆動タイミングと同時であることが望ましい。ミラー装置１０２のミラー素子ＭＰＩＸ（ｐ，ｑ）は、左右反転した位置に存在する表示装置１００の画素ＰＩＸ（ｐ，ｎ−ｑ＋１）に対応するため、表示装置１００のゲートドライバ２０６と、ミラー装置１０２のゲートドライバ８０４の駆動タイミングが同一、且つ、同一方向であることが好ましい。さらに、示装置２０のデータドライバ２０４と、ミラー装置１０２のデータドライバ８０２の駆動タイミングが同一、且つ、走査方向が逆方向であることが好ましい。図９Ａ、図９Ｂにおけるデータドライバ２０４によるゲート線ＧＬ１に沿う走査方向と図１０Ａ、図１０Ｂにおけるデータドライバ８０２によるゲート線ＧＬ２に沿う走査方向を矢印で図示している。また、図９Ａ、図９Ｂにおけるゲートドライバ２０６によるデータ線ＳＬ１に沿う走査方向と図１０Ａ、図１０Ｂにおけるゲートドライバ８０４によるデータ線ＳＬ２に沿う走査方向を矢印で図示している。
【００４３】
以下、図１１Ａから図１３Ｂを参照して、表示装置１００の投射画像と、ミラー装置１０２を挟んで眼Ｅの反対側に位置するオブジェクトＯＢとを重ねることによる拡張現実（ＡＲ：Augmented  Reality）の例について説明する。
【００４４】
図１１Ａは、グラフィックの反射を最大限にするようにミラー装置を制御する場合の表示装置、ミラー装置、オブジェクト及び眼の関係を示す模式図である。図１１Ｂは、図１１Ａの場合に視認される内容を示す模式図である。
【００４５】
図１１Ａに示す例では、グラフィックＧＲに対応する領域ＲＦに含まれるミラー素子ＭＰＩＸのミラー素子信号ＭＥＳを最大値（１００［％］）にすることで、領域ＲＦに含まれるミラー素子ＭＰＩＸの反射率を最大限にしている。これによって、図１１Ｂに示すように、領域ＲＦではオブジェクトＯＢが視認されない。すなわち、グラフィックＧＲを反射する非透過の領域ＲＦが視認される。一方、背景ＢＧに対応する領域ＣＬに含まれるミラー素子ＭＰＩＸのミラー素子信号ＭＥＳは最小値（０［％］）である。このため、背景ＢＧを描画する表示装置１００の画素ＰＩＸに対応するミラー装置１０２の領域ＣＬに含まれるミラー素子ＭＰＩＸの透過率を最大限にしている。これによって、図１１Ｂに示すように、領域ＣＬではオブジェクトＯＢが視認される。従って、オブジェクトＯＢを背景にした非透過の領域ＲＦが視認される。
【００４６】
図１２Ａは、グラフィックの反射を最小限にするようにミラー装置を制御する場合の表示装置、ミラー装置、オブジェクト及び眼の関係を示す模式図である。図１２Ｂは、図１２Ａの場合に視認される内容を示す模式図である。
【００４７】
図１２Ａに示す例では、図１１Ａとは異なるミラー装置１０２の制御の例として、グラフィックＧＲに対応する領域ＲＦに含まれるミラー素子ＭＰＩＸのミラー画素信号ＭＥＳを最小値（０［％］）にしている。すなわち、背景ＢＧに対応する領域ＣＬと同様に、グラフィックＧＲを描画する表示装置１００の画素ＰＩＸに対応するミラー装置１０２の領域ＲＦの透過率を最大限にしている。これによって、図１２Ｂに示すように、グラフィックＧＲに対応する領域ＲＦにおいても、グラフィックＧＲに対応する画像光ＤＬが透過し、眼Ｅによって視認されることが抑制されるなお、背景ＢＧのミラー画像信号ＭＤＳは、図１１の場合と同様に最小値（０［％］）である。これによって、図１２Ｂに示すように、表示装置１００の表示画像ＤＤＩが反射された画像は視認されず、オブジェクトＯＢが視認される。
【００４８】
図１２Ａ及び図１２Ｂを参照して説明したように、ミラー装置１０２に対して出力されるミラー画像信号ＭＤＳを変更することで、表示装置１００の表示画像ＤＤＩでグラフィックＧＲが表示される領域に限定されずにミラー装置１０２を介して視認される内容を制御することができる。
【００４９】
図１３Ａは、グラフィックに対応する画像光を反射するミラー素子の反射率及び透過率をそれぞれにするようにミラー装置を制御する場合の表示装置、ミラー装置、オブジェクト及び眼の関係を示す模式図である。図１３Ｂは、図１３Ａの場合に視認される内容を示す模式図である。
【００５０】
図１３Ａに示す例では、グラフィックＧＲに対応する領域ＲＦに含まれるミラー素子ＭＰＩＸのミラー画素信号ＭＥＳを５０［％］にすることで、領域ＲＦにおいてグラフィックＧＲに対応する画像光ＤＬとオブジェクトＯＬを視認するための外光ＯＬの両方が視認されるようにしている。これによって、図１６に示すように、領域ＲＦではオブジェクトＯＢが透けて見える状態のグラフィックＧＲの鏡像が視認される。これは、半透過状態の反射領域ＨＲＦになっていることを示す。図１３Ａ及び図１３Ｂでは、半透過状態の反射領域ＨＲＦによって画像光ＤＬの５０［％］が反射されていることを符号ＨＤＬで示している。また、半透過状態の反射領域ＨＲＦを５０［％］の透過率で透過する外光ＯＬに符号ＨＯＬを付している。また、オブジェクトＯＢが透けて見える状態のグラフィックＧＲの鏡像に対応する、反射光及び透過光を含む光を「ＨＤＬ＋ＨＯＬ」のように表している。なお、背景ＢＧのミラー画像信号ＭＤＳは、図１１の場合と同様に最小値（０［％］）である。従って、オブジェクトＯＢを背景にした、オブジェクトＯＢが透けて見える状態のグラフィックＧＲの鏡像が視認される。
【００５１】
図１３Ａ及び図１３Ｂを参照して説明したように、表示装置１００の表示画像にオブジェクトＯＢを透けさせることができる。なお、図１３Ａ及び図１３Ｂを参照した説明では、透過率及び反射率が５０［％］である場合を例としているが、領域ＲＦの反射率はｋ［％］（０≦ｋ≦１００）とすることができる。反射率は、ミラー画像信号ＭＤＳの不透明度（ｋ［％］）である。この場合、領域ＲＦの透過率は、（１００−ｋ）［％］である。
【００５２】
以上、図１１から図１３を参照して説明したミラー画像信号ＭＤＳの制御は、処理回路１０４が行う。当該制御内容に対応するソフトウェア・プログラムは、メモリ１０４２に記憶される。
【００５３】
図１４は、マージン領域が設定されたミラー装置を示す模式図である。図１５は、マージン領域の幅を決定する仕組みを示す説明図である。図１４に示すように、領域ＲＦにマージン領域ＭＲを付加するようミラー画像信号ＭＤＳを制御してもよい。マージン領域ＭＲは、透過率が最大値（１００［％］）でない領域である。マージン領域ＭＲの反射率は、領域ＲＦの反射率と同じであってもよいし、領域ＲＦの反射率よりも低い反射率であってもよい。
【００５４】
図１５に例示するように、領域ＲＦに対して異なる位置にある眼Ｅ１と眼Ｅ２では、マージン領域ＭＲによるグラフィックＧＲからの光の反射位置及び反射角度が異なる。このため、表示装置１００に表示される表示画像ＤＤＩの鏡像に直接対応するミラー画像信号ＭＤＳに従った領域ＲＦのみを設定した場合、ユーザがミラー装置１０２を視認する位置、角度によって領域ＲＦの画像の形や幅が異なって見えることがある。そこで、ミラー装置１０２を視認するユーザの位置及び角度に関わらず、グラフィックＧＲからの光がミラー装置１０２で良好に反射されて眼Ｅに到達するよう、領域ＲＦに加えてマージン領域ＭＲを設定することで、ミラー装置１０２による反射画像の視認性及び視野角特性をより向上させることができる。
【００５５】
マージン領域ＭＲは、想定されるミラー装置１０２の視野角に対応して設定される。図１４及び図１５では、ミラー装置１０２の水平方向の視野角がθ［°］である場合を例示している。視野角（θ［°］）は、ミラー装置１０２の光学的な特性（例えば、反射が良好に行われる角度範囲等）に基づいて定めるようにしてもよいし、ミラー装置１０２の光学的な特性とは無関係なルール（例えば、ミラー装置１０２の設置位置に対してユーザが進入可能な場所の範囲等）に基づいて定められてもよい。
【００５６】
図１４では、領域ＲＦの水平方向の一端側に幅Ｍ１の第１マージン領域ＭＲ１が設定されている。また、図１４では、領域ＲＦの水平方向の他端側には、一端側に対する位置が異なるそれぞれの箇所で、幅Ｍ２の第２マージン領域ＭＲ２、幅Ｍ３の第３マージン領域ＭＲ３及び幅Ｍ４の第４マージン領域ＭＲ４が設定されている。Ｍ１、Ｍ２、Ｍ３、Ｍ４は共通の幅Ｍであってもよいし、個別の幅であってもよい。
【００５７】
図１５を参照して、幅Ｍの決定方法の一例について説明する。幅Ｍは、グラフィックＧＲと領域ＲＦとの間の距離をＤとすると、以下の式（１）で幅Ｍを算出可能である。
Ｍ＝Ｄ×ｔａｎ（θ／２）…（１）
【００５８】
なお、Ｄの値は代表値であってもよい。この場合、Ｄの値は、例えば表示装置１００の画像投射面１００ｓの中心とミラー装置１０２のミラー素子ＭＰＩＸの配置領域の中心との距離とすることができる。代表値を採用することで、幅Ｍの決定及びマージン領域ＭＲの設定をより容易にすることができる。また、グラフィックＧＲに含まれる各画素ＰＩＸと、当該各画素ＰＩＸに対応する領域ＲＦの各ミラー素子ＭＰＩＸとの距離を個別に記録したデータに基づいて、垂直方向の位置が異なる画素ＰＩＸ毎に個別にＤの値を設定してもよい。この場合、幅Ｍは、図１４で模式的に示す例と異なり、垂直方向に統一されなくなるが、より良好な視野角特性を得られる。
【００５９】
以上、図１４及び図１５を参照して説明したマージン領域ＭＲ及び幅Ｍの制御は、演算回路１０４１が行う。当該制御内容に対応するソフトウェア・プログラムは、メモリ１０４２に記憶される。なお、図１４及び図１５を参照した説明では、水平方向の視野角（θ［°］）を考慮しているが、垂直方向の視野角についても同様の仕組みで対応可能である。
【００６０】
以上説明したように、実施形態によれば、表示システム１０は、画像を投射する表示装置１００と、表示装置１００に所定角度Ａをつけて対向するミラー装置１０２と、表示画像信号ＤＤＳを表示装置１００に出力し、表示画像信号ＤＤＳに対応するミラー画像信号ＭＤＳをミラー装置１０２に出力する処理回路１０４とを備える。従って、ハーフミラーよりも反射率及び透過率をより高く設定可能なミラー装置１０２を採用しているため、よりクリアな画像を視認可能になる。
【００６１】
また、ミラー装置１０２は、マトリクス状に設けられた複数のミラー素子ＭＰＩＸと、表示装置１００と対向する面の反対側に設けられた反射偏光板５００とを備える。反射偏光板５００は、進入する光の位相によって反射率及び透過率が変わる。ミラー装置１０２は、ミラー画像信号ＭＤＳが示す不透明度が高いほど反射偏光板５００の反射率がより高い位相の光を透過させるようにミラー素子ＭＰＩＸが制御される。従って、不透明度が相対的に高いグラフィックＧＲからの光をより良好に反射し、不透明度が相対的に低い背景ＢＧからの光をより良好に透過させることができる。すなわち、背景としてオブジェクトＯＢがクリアに透けて見える画像を視認可能になる。
【００６２】
また、ミラー画像信号ＭＤＳは、表示画像信号ＤＤＳによって描画される画像の背景ＢＧの不透明度がグラフィックＧＲの不透明度よりも低い。従って、背景ＢＧに対応する部分で光を透過させてオブジェクトＯＢを視認させることができる。
【００６３】
また、ミラー装置１０２は、グラフィックＧＲに対応する領域ＲＦのミラー素子ＭＰＩＸが表示装置１００からの光を一定以上反射する反射領域になるよう制御される。ここで、一定以上とは、例えば５０［％］以上であるが、これに限られるものでなく、領域ＣＬの反射率よりも高い領域ＲＦの反射率に対応する値であればよい。従って、領域ＲＦの反射率をより高めることでよりクリアな画像を視認可能になる。
【００６４】
また、ミラー装置１０２に映る画像の視野角（θ［°］）に応じて、視野角（θ［°］）が広がる方向にマージン領域ＭＲが設定される。従って、視野角（θ［°］）に対応した反射領域（領域ＲＦ及びマージン領域ＭＲを含む）を設定することができる。
【００６５】
また、表示画像信号ＤＤＳに基づいて表示装置１００が出力する表示画像ＤＤＩは、ミラー装置１０２を視認するユーザに視認させたいミラー画像ＭＤＩの鏡像である。従って、ミラー装置１０２による反射を経て、意図した画像を視認させることができる。
【００６６】
また、所定角度Ａは、表示装置１００の画像投射面１００ｓと、ミラー装置１０２に映る画像を視認することが想定されるユーザの眼Ｅの位置とに基づいて決定される。従って、より良好にミラー装置１０２に映る画像を視認可能になる。
【００６７】
なお、本実施例において、表示装置１００の画素ＰＩＸの数及び配置と、ミラー装置１０２のミラー素子ＭＰＩＸの数及び配置とが一致する場合について例示したが、これに限られない。例えば、画素ＰＩＸの数及び配置と、ミラー素子ＭＰＩＸの数及び配置が一致しない場合、処理回路１０４は、画素ＰＩＸの数及び配置と、ミラー素子ＭＰＩＸの数及び配置との対応関係を定める対応付け処理（スケールアップ又はスケールダウン）を行う。例えば、ミラー素子ＭＰＩＸの行方向の数が、画素ＰＩＸの行方向の数の１／２である場合、行方向に連続する２つの画素ＰＩＸと１つのミラー素子ＭＰＩＸを対応付ける。この場合において、ミラー素子ＭＰＩＸのミラー素子信号は、２つの画素ＰＩＸに対応付けられる基礎画素ＢＰＩＸの基礎画素信号ＢＰＳに含まれる反射率信号の平均値が割り当てられてもよいし、最大値又は最小値が割り当てられてもよい。表示装置１００の画素ＰＩＸの数及び配置と、ミラー装置１０２のミラー素子ＭＰＩＸの数及び配置とが一致する場合、当該対応付け処理は省略される。
【００６８】
また、本実施形態において述べた態様によりもたらされる他の作用効果について本明細書記載から明らかなもの、又は当業者において適宜想到し得るものについては、当然に本発明によりもたらされるものと解される。
【符号の説明】
【００６９】
１０        表示システム
１００      表示装置
１００ｓ    画像投射面
１０２      ミラー装置
１０４      処理回路
１０４１    演算回路
１０４２    メモリ
１０８      制御回路
１１０      画像出力回路
１１２      画像処理回路
２０４      データドライバ
２０６      ゲートドライバ
３００      第１偏光板
４０２      第１基板
４０４      第２電極
４０６      第２基板
４０８      第１電極
４１２      液晶分子４１２
５００      反射偏光板
６００      第２偏光板
８０２      データドライバ
８０４      ゲートドライバ
ＢＤＳ−Ｇ  諧調信号
ＢＤＳ−Ｒ  反射率信号
Ｅ          眼
ＭＲ        マージン領域
ＲＦ        反射領域
ＰＩＸ      画素
ＭＰＩＸ    ミラー素子
θ          視野角
【図１】
2020065235.tif 000003
【図２】
2020065235.tif 000004
【図３】
2020065235.tif 000005
【図４】
2020065235.tif 000006
【図５】
2020065235.tif 000007
【図６】
2020065235.tif 000008
【図７】
2020065235.tif 000009
【図８】
2020065235.tif 000010
【図９Ａ】
2020065235.tif 000011
【図９Ｂ】
2020065235.tif 000012
【図１０Ａ】
2020065235.tif 000013
【図１０Ｂ】
2020065235.tif 000014
【図１１Ａ】
2020065235.tif 000015
【図１１Ｂ】
2020065235.tif 000016
【図１２Ａ】
2020065235.tif 000017
【図１２Ｂ】
2020065235.tif 000018
【図１３Ａ】
2020065235.tif 000019
【図１３Ｂ】
2020065235.tif 000020
【図１４】
2020065235.tif 000021
【図１５】
2020065235.tif 000022